(57)【要約】【課題】  ピルファプルーフバンドを有するオーバーキャップをストレート缶に取り付けた構成のオーバーキャップ付缶において、オーバーキャップ全体を缶から取り外すことができないようにする。【解決手段】  ストレート缶２２の胴部２４の上端近傍に、ピルファプルーフバンド３０の内面を支持しうる第一凸部３３ａとその下方に位置し、ピルファプルーフバンド３０の外周面３０ａと同一外径の第二凸部３３ｂを備えた凸リブ３３を形成し、ピルファプルーフバンド３０の下端への下方からのアクセスを第二凸部３３ｂで遮ることで、ピルファプルーフバンド３０の下端に指を引っかけにくくし、オーバーキャップ全体を取り外せないようにする。【選択図】  図３
2008081182.tif 000002
【特許請求の範囲】
【請求項１】
円筒状の胴部と、該胴部の内径にほぼ等しい直径の天面部を有するストレート缶と、該ストレート缶の頂部に取り付けられたオーバーキャップとを備えたオーバーキャップ付缶において、前記オーバーキャップが、前記ストレート缶の頂部に嵌合、取り付け可能なキャップ本体と、該キャップ本体の筒部下端縁に引き裂き可能な引き裂き部を介して連設されたピルファプルーフバンドを備えており、前記ストレート缶が、少なくとも前記オーバーキャップのピルファプルーフバンドの下端縁下方の近接領域に、最大外径が前記ピルファプルーフバンドの下端縁の外径以上である凸リブを有し、前記ピルファプルーフバンドの下端縁への下方からのアクセスを防止する構成としていることを特徴とするオーバーキャップ付缶。
【請求項２】
前記凸リブが、前記ピルファプルーフバンドの内面に面する領域に形成された円筒状の第一凸部と、該第一凸部の下側に続く位置で且つ前記ピルファプルーフバンドの下端縁よりも下方位置に、前記第一凸部より大径に形成された円筒状の第二凸部を備えており、前記ピルファプルーフバンドが、前記ストレート缶に取り付けた状態で、ピルファプルーフバンドの内面が前記第一凸部の円筒面に嵌合若しくは近接し、外周面が前記第二凸部の外径と同一外径の円筒面となる形状を有していることを特徴とする請求項１記載のオーバーキャップ付缶。
【請求項３】
前記凸リブが、前記ピルファプルーフバンドの内面に面する領域に形成された円筒状の第一凸部と、該第一凸部の下側に続く位置に形成され、下方に向かって拡径するテーパ面を有する第二凸部を備えており、前記ピルファプルーフバンドが、前記ストレート缶に取り付けた状態で、ピルファプルーフバンドの内面が前記第一凸部に嵌合若しくは近接し、下端縁が前記第二凸部のテーパ面に嵌合し、外周面が下方に向かって縮径するテーパ面となる形状を有していることを特徴とする請求項１記載のオーバーキャップ付缶。
【発明の詳細な説明】
【技術分野】
【０００１】
本発明は、例えば、粉ミルクなどを収容して流通させるために使用するオーバーキャップ付缶に関する。
【背景技術】
【０００２】
従来より、粉ミルクなどを収容する金属製の缶が使用されており、その缶の頂部には、開封後の缶を再閉鎖するため及び流通段階での不正開封を防止するため、合成樹脂製のオーバーキャップを取り付けることが行われている（例えば、特開２００１−３４１７６２号公報参照）。図７はこの種のオーバーキャップ付缶の従来例を示す概略正面図、図８はその一部領域の概略断面図である。全体を参照符号１で示すオーバーキャップ付缶は、粉ミルク等を収容するストレート缶２と、その頂部に取り付けられたオーバーキャップ３を備えている。なお、本明細書において、ストレート缶やオーバーキャップに関して、「頂部」、「上方」、「下方」、「上端縁」、「下端縁」等のように、上下を示す表現を用いているが、これらの表現は、ストレート缶やオーバーキャップを、それぞれの天面部が上になるように置いた状態について言及するものとする。
【０００３】
ストレート缶２は、円筒状の胴部４と、その胴部４の上端に巻締部５によって固定された金属製の天面部６と、その天面部６に形成された開口を閉じる蓋材７等を備えており、巻締部５はその一部が胴部４の外側に位置するように形成され、天面部６の直径が胴部４の内径にほぼ等しくなっている。この構造により、天面部６に大きい開口を形成でき、内容物を取り出しやすいという利点を有している。オーバーキャップ３はポリエチレン、ポリプロピレン等の合成樹脂によって一体構造に形成されたものであり、天面部８ａとその外周に一体に連設された筒部８ｂを備え、ストレート缶２の頂部の巻締部５に嵌合、取り付け可能なキャップ本体８と、該キャップ本体８の筒部８ｂの下端縁に引き裂き可能な引き裂き部９を介して連設され、下端縁１０ａをストレート缶２の胴部４の外面に密着させて取り付け可能なピルファプルーフバンド１０と、そのピルファプルーフバンド１０の引き裂き時に使用するつまみ部１１等を備えている。この構造のオーバーキャップ付缶１を開封するには、まず、オーバーキャップ３のつまみ部１１をつかんで引っ張り、ピルファプルーフバンド１０のつまみ部１１近傍に形成されている弱部を破断させ、次いでピルファプルーフバンド１０とキャップ本体８との間の引き裂き部９を引き裂いて行くことで、ピルファプルーフバンド１０をキャップ本体８から除去し、その後、キャップ本体８をストレート缶２から外し、ストレート缶２の天面部６を開封するという操作を行うことが必要である。このようにピルファプルーフバンド付のオーバーキャップ３を用いたことで、不正開封を防止していた。
【０００４】
ところが、この構造のオーバーキャップ付缶にも問題があった。すなわち、オーバーキャップ３のピルファプルーフバンド１０の下端縁１０ａに指を引っかけて押し上げるようにすることで、オーバーキャップ３が、ピルファプルーフバンド１０を破断することなくストレート缶２から取り外されてしまうことがあり、このため、店頭等においていたずらでオーバーキャップ３をストレート缶２から外し、ストレート缶２を開封するなどの細工を施した後、オーバーキャップ３を元通りにストレート缶２に取り付けるといったいたずらをされる恐れがあり、その場合に、外観からはオーバーキャップ付缶１に細工が施されたことを識別できないという問題があった。
【特許文献１】特開２００１−３４１７６２号公報
【発明の開示】
【発明が解決しようとする課題】
【０００５】
本発明はかかる問題点に鑑みてなされたもので、ストレート缶に、ピルファプルーフバンドを備えたオーバーキャップを取り付けた構造のオーバーキャップ付缶において、ピルファプルーフバンドを破断することなくオーバーキャップをストレート缶から取り外すことができないようにすることを課題とする。
【課題を解決するための手段】
【０００６】
上記した課題を解決すべくなされた本願請求項１に係る発明は、円筒状の胴部と、該胴部の内径にほぼ等しい直径の天面部を有するストレート缶と、該ストレート缶の頂部に取り付けられたオーバーキャップとを備えたオーバーキャップ付缶において、前記オーバーキャップが、前記ストレート缶の頂部に嵌合、取り付け可能なキャップ本体と、該キャップ本体の筒部下端縁に引き裂き可能な引き裂き部を介して連設されたピルファプルーフバンドを備えており、前記ストレート缶が、少なくとも前記オーバーキャップのピルファプルーフバンドの下端縁下方の近接領域に、最大外径が前記ピルファプルーフバンドの下端縁の外径以上である凸リブを有し、前記ピルファプルーフバンドの下端縁への下方からのアクセスを防止する構成としていることを特徴とするオーバーキャップ付缶を要旨とする。
【０００７】
請求項２に係る発明は、上記した請求項１に係る発明のオーバーキャップ付缶において、前記凸リブが、前記ピルファプルーフバンドの内面に面する領域に形成された円筒状の第一凸部と、該第一凸部の下側に続く位置で且つ前記ピルファプルーフバンドの下端縁よりも下方位置に、前記第一凸部より大径に形成された円筒状の第二凸部を備えており、前記ピルファプルーフバンドが、前記ストレート缶に取り付けた状態で、ピルファプルーフバンドの内面が前記第一凸部の円筒面に嵌合若しくは近接し、外周面が前記第二凸部の外径と同一外径の円筒面となる形状を有していることを特徴とするものである。
【０００８】
請求項２に係る発明は、上記した請求項１に係る発明のオーバーキャップ付缶において、前記凸リブが、前記ピルファプルーフバンドの内面に面する領域に形成された円筒状の第一凸部と、該第一凸部の下側に続く位置に形成され、下方に向かって拡径するテーパ面を有する第二凸部を備えており、前記ピルファプルーフバンドが、前記ストレート缶に取り付けた状態で、ピルファプルーフバンドの内面が前記第一凸部３３ａに嵌合若しくは近接し、下端縁が前記第二凸部のテーパ面に嵌合し、外周面が下方に向かって縮径するテーパ面となる形状を有していることを特徴とするものである。
【発明の効果】
【０００９】
上記構成のオーバーキャップ付缶は、ストレート缶の胴部に凸リブを形成して、ピルファプルーフバンドの下端縁に下側からアクセスできないようにしたことにより、ピルファプルーフバンドの下端縁に指を引っかけて持ち上げることができず、このため、ピルファプルーフバンドを破断することなくオーバーキャップをストレート缶から外すことができず、流通段階での不正開封を防止することができ、また、ストレート缶には、単に凸リブを形成しただけであるので、ストレート缶のメリットを損なうことがないといった効果を有している。
【発明を実施するための最良の形態】
【００１０】
図１は本発明の好適な実施の形態に係るオーバーキャップ付缶の概略正面図、図２はその概略平面図、図３はそのオーバーキャップ付缶の主要部分の概略断面図である。全体を参照符号２１で示すオーバーキャップ付缶は、粉ミルク等を収容するストレート缶２２と、その頂部に取り付けられたオーバーキャップ２３を備えている。ここで用いているストレート缶２２は、従来のストレート缶と同様に、金属製の円筒状の胴部２４と、その胴部２４の上端に巻締部２５によって固定された金属製の天面部２６と、その天面部２６に形成された開口を閉じる蓋材２７等を備えたものであるが、従来とは異なり、その円筒状の胴部２４の上端近傍の領域に凸リブ３３を形成している。この凸リブ３３の形状については後述する。ストレート缶２２の凸リブ３３を除いた他の領域の構造、形状は従来のストレート缶２（図７、図８参照）と同様であり、巻締部２５はその一部が胴部２４（凸リブ３３を除いた領域）の外側に位置するように形成され、天面部２６の直径が胴部２４（凸リブ３３を除いた領域）の内径にほぼ等しくなっている。この構造により、従来のストレート缶と同様のメリットを享受できる。すなわち、このストレート缶２２は天面部に大きい開口を形成できるので、内容物の取り出しが容易であり、また、製造に当たっては、天面部取り付けのための巻締め装置として既設を装置をそのまま使用できるとか、天面部を形成するための天面キャップとして従来使用している天面キャップを使用できるといったメリットを享受できる。
【００１１】
オーバーキャップ２３はポリエチレン、ポリプロピレン等の合成樹脂によって一体構造に形成されたものであり、天面部２８ａとその外周に一体に連設された筒部２８ｂを備え、ストレート缶２２の頂部の巻締部２５に嵌合、取り付け可能なキャップ本体２８と、該キャップ本体２８の筒部２８ｂの下端縁に引き裂き可能な引き裂き部２９を介して連設されたピルファプルーフバンド３０と、そのピルファプルーフバンド３０の引き裂き時に使用するつまみ部３１等を備えている。ストレート缶２２の胴部２４に形成している凸リブ３３は、ストレート缶２２に取り付けた状態のオーバーキャップ２３のピルファプルーフバンド３０の内面に面する領域に形成された円筒状の第一凸部３３ａと、その第一凸部３３ａの下側に続く位置で且つピルファプルーフバンド３０の下端縁よりも下方位置に、第一凸部３３ａよりも大径に形成された円筒状の第二凸部３３ｂを備えている。前記したピルファプルーフバンド３０は、ストレート缶２２に取り付けた状態で、ピルファプルーフバンド３０の内面が第一凸部３３ａの円筒面に嵌合した円筒面となり、外周面３０ａが第二凸部３３ｂの外径と同一外径の円筒面となる形状に作られている。従って、ストレート缶２２にオーバーキャップ２３を取り付けた状態では、図３から良く分かるように、ピルファプルーフバンド３０が凸リブ３３の第一凸部３３ａと第二凸部３３ｂの形成する段部に嵌合した状態となり、そのピルファプルーフ３０の下端縁の直ぐ下方には、ピルファプルーフバンド３０の下端縁の外径に等しい外径の第二凸部３３ｂが位置して、ピルファプルーフバンド３０の下端縁への下方からのアクセスを阻止している。
【００１２】
上記構成のオーバーキャップ付缶２１は、図１〜図３に示すように、ストレート缶２２の頂部にオーバーキャップ２３を取り付けた状態で流通させられる。この時、ピルファプルーフバンド３０はそのほぼ全域がストレート缶２２の胴部２４に形成している第一凸部３３ａに嵌合してその第一凸部３３ａで支持されているため、流通段階でピルファプルーフバンド３０に、ストレート缶２２の中心方向に押す何らかの外力が加わったとしても、その外力は第一凸部３３ａで受けられることとなり、引き裂き部２９には大きい力が作用しない。このため、引き裂き部２９が破断するといったトラブルを回避できる。また、だれかがいたずらで、オーバーキャップ２３をストレート缶２２から取り外そうとしても、ピルファプルーフバンド３０の下端縁の直ぐ下に第二凸部３３ｂが位置しているため、ピルファプルーフバンド３０の下端縁を指で引っかけることができず、このため、ピルファプルーフバンド３０の下端縁に指をひっかけてオーバーキャップ２３をストレート缶２２から取り外すことはほとんど不可能である。かくして、いたずらでオーバーキャップ２３全体をストレート缶２２から取り外すことができず、安全である。
【００１３】
オーバーキャップ付缶２１の開封に当たっては、オーバーキャップ２３のつまみ部３１をつかんで引っ張り、ピルファプルーフバンド３０のつまみ部３１近傍に形成されている弱部を破断させ、次いでピルファプルーフバンド３０とキャップ本体２８との間の引き裂き部２９を引き裂いて行くことで、ピルファプルーフバンド３０をキャップ本体２８から除去し、その後、キャップ本体２８をストレート缶２２から外し、ストレート缶２２の天面部２６を開封するという動作を行えば良い。ストレート缶２２の内容物を必要量だけ取り出した後は、キャップ本体２８を再度ストレート缶２２の頂部に嵌合、取り付けることで、ストレート缶２２をキャップ本体２８で再閉鎖することができる。
【００１４】
なお、上記した実施の形態では、ピルファプルーフバンド３０のほぼ全域が円筒状の第一凸部３３ａに嵌合するように、ピルファプルーフバンド３０の形状、寸法、及び凸リブ３３の形状、寸法を定めているが、ピルファプルーフバンド３０や凸リブ３３の形状、寸法はこれに限らず、適宜変更可能であり、例えば、ピルファプルーフバンド３０の内面の一部領域のみ、例えば下端縁のみが第一凸部３３ａに嵌合して支持されるようにするとか、ピルファプルーフバンド３０の内面が第一凸部３３ａに近接した位置となって両者の間に微小な（例えば、０．１〜０．５ｍｍ程度の）隙間が形成されるようにしてオーバーキャップ２３のストレート缶２２への取り付けを容易としてもよい。この場合、隙間は極力小さくすることが、ピルファプルーフバンド３０が直径方向に動きにくくなって、その下端縁へ指を引っかけにくくなるので、好ましい。また、図４に示すように、凸リブ３３の第一凸部３３ａの上端に第三凸部３３ｃを形成し、ピルファプルーフバンド３０が抜けにくくなるようにしてもよい。更に、第二凸部３３ｂの外径はピルファプルーフバンド３０の外周面３０ａの外径よりも大径となるようにしてもよく、これにより、ピルファプルーフバンド３０の下端縁に指を一層引っかけにくくなる。
【００１５】
図５は本発明の他の実施の形態に係るオーバーキャップ付缶の主要部分を示す概略断面図であり、図１〜図４に示すオーバーキャップ付缶と同一若しくは同様な部分には同一符号を付している。図５に示す実施の形態のオーバーキャップ付缶２１では、ストレート缶２２の胴部２４に形成する凸リブ３３が、ピルファプルーフバンド３０の内面に面する領域に形成された円筒状の第一凸部３３ａと、その第一凸部３３ａの下側に続く位置に形成され、下方に向かって拡径するテーパ面３３ｂａを有する第二凸部３３ｂを有している。また、オーバーキャップ２３に形成しているピルファプルーフバンド３０は、ストレート缶２２に取り付けた状態で、ピルファプルーフバンド３０の内面の少なくとも一部が第一凸部３３ａに嵌合若しくは近接し、下端縁が第二凸部３３ｂのテーパ面３３ｂａに嵌合した状態となると共に、ピルファプルーフバンド３０の外周面３０ａが下方に向かって縮径するテーパ面となる形状に作られている。従って、この実施の形態においてもストレート缶２２にオーバーキャップ２３を取り付けた状態では、ピルファプルーフバンド３０の下端縁が第二凸部３３ｂのテーパ面３３ｂａに嵌合した状態となり、そのピルファプルーフ３０の下端縁の直ぐ下方には、ピルファプルーフバンド３０の下端縁の外径よりも大きい外径となる第二凸部３３ｂが位置して、ピルファプルーフバンド３０の下端縁への下方からのアクセスを阻止している。
【００１６】
図５に示す構成のオーバーキャップ付缶２１でも、流通段階でピルファプルーフバンド３０に、ストレート缶２２の中心方向に押す何らかの外力が加わったとしても、その外力は第一凸部３３ａで受けられることとなり、引き裂き部２９には大きい力が作用しない。このため、引き裂き部２９が破断するといったトラブルを回避できる。また、だれかがいたずらで、オーバーキャップ２３をストレート缶２２から取り外そうとしても、ピルファプルーフバンド３０の下端縁の直ぐ下に第二凸部３３ｂが位置しているため、ピルファプルーフバンド３０の下端縁を指で引っかけることができず、特に、ピルファプルーフバンド３０の外周面３０ａが下方に向かって縮径するテーパ面となっているため、ピルファプルーフバンド３０の下端縁が一層つかみにくく、このため、ピルファプルーフバンド３０の下端縁に指をひっかけてオーバーキャップ２３をストレート缶２２から取り外すことはほとんど不可能である。かくして、いたずらでオーバーキャップ２３全体をストレート缶２２から取り外すことができず、安全である。
【００１７】
なお、図５に示す形態のピルファプルーフバンド３０及び凸リブ３３を用いる場合においても、図６に示すように、凸リブ３３の第一凸部３３ａの上端に第三凸部３３ｃを形成し、ピルファプルーフバンド３０が抜けにくくしてもよい。
【００１８】
以上に本発明の好適な実施の形態を説明したが、本発明はこの実施の形態に限定されるものではなく、特許請求の範囲の記載範囲内で適宜変更可能である。
【図面の簡単な説明】
【００１９】
【図１】本発明の好適な実施の形態に係るオーバーキャップ付缶の概略正面図
【図２】図１に示すオーバーキャップ付缶の概略平面図
【図３】図１に示すオーバーキャップ付缶の主要部分の概略断面図
【図４】他の実施の形態に係るオーバーキャップ付缶の主要部分の概略断面図
【図５】更に他の実施の形態に係るオーバーキャップ付缶の主要部分の概略断面図
【図６】更に他の実施の形態に係るオーバーキャップ付缶の主要部分の概略断面図
【図７】従来のオーバーキャップ付缶の概略正面図
【図８】図７に示すオーバーキャップ付缶の主要部分の概略断面図
【符号の説明】
【００２０】
１、２１  オーバーキャップ付缶
２、２２  ストレート缶
３、２３  オーバーキャップ
４、２４  胴部
５、２５  巻締部
６、２６  天面部
７、２７  蓋材
８、２８  キャップ本体
８ａ、２８ａ  天面部
８ｂ、２８ｂ  筒部
９、２９  引き裂き部
１０、３０  ピルファプルーフバンド
１１、３１  つまみ部
３０ａ  外周面
３３  凸リブ
３３ａ  第一凸部
３３ｂ  第二凸部
３３ｂａ  テーパ面
３３ｃ  第三凸部
【図１】
2008081182.tif 000003
【図２】
2008081182.tif 000004
【図３】
2008081182.tif 000005
【図４】
2008081182.tif 000006
【図５】
2008081182.tif 000007
【図６】
2008081182.tif 000008
【図７】
2008081182.tif 000009
【図８】
2008081182.tif 000010